(57)【要約】【課題】  本体ケースの外装デザインの自由度を妨げることなく、逆さ置きのポジションでも操作スイッチの誤動作が起こらないビデオカメラの提供を行うこと。【解決手段】  操作スイッチ近傍に設置された、端子蓋を開閉するための指掛かり形状を、載置面を形成する突起部と兼用し、端子蓋指掛かり形状と第２の突起部、第３の突起部によって形成される逆さ置き時の載置面で、スイッチの誤動作発生を防止する。【選択図】  図１
2007220161.tif 000002
【特許請求の範囲】
【請求項１】
操作スイッチと、前記操作スイッチが配置された面の同一面側に突起部を設けた蓋部を持ち、前記突起部の頂部と前記操作スイッチが配置された同一面側の他の頂部とによって作られる面が、スイッチ回路が作動する前記操作スイッチの位置より、前記操作スイッチが配置された面に対して離れていることを特徴とする電子機器。
【請求項２】
前記蓋部に設けられた突起部は、該蓋部を開閉するための指掛かり部であることを特徴とする請求項１に記載の電子機器。
【請求項３】
前記突起部は弾性部材であることを特徴とする請求項１に記載の電子機器。
【発明の詳細な説明】
【技術分野】
【０００１】
本発明は、操作スイッチと、突起部を有する蓋を備えた電子機器に関する。
【背景技術】
【０００２】
近年、ビデオカメラ・デジタルスチルカメラ・携帯端末などの電子機器への小型化のニーズが急速に増加している。さらに、電子機器が普及するに従って、製品に対する機能のニーズも多様化してきている。
【０００３】
また、ビデオカメラやデジタルスチルカメラなどの電子機器には、さまざまな外部機器と接続し活用範囲を広げるため、外部機器との接続端子が装備されており、接続端子をほこりや水分から保護する為、接続端子を覆う端子蓋が取り付けられている。
【０００４】
従来の電子機器の一具体例として、ビデオカメラについて説明する。図４は従来のビデオカメラの斜視図であり、特に図４（ａ）は端子蓋４０１を閉めた状態、図４（ｂ）は端子蓋を取り外した状態を示しており、端子蓋４０１で覆われる部分にはＵＳＢコネクターやＡＶジャックなどの各種端子４０２が設けられている。
【０００５】
使用者が前述の端子に外部の電子機器から繋がるプラグを接続する時、端子蓋４０１の指掛かり部４０１ａに爪又は指を引っ掛け、図４（ｂ）に示すＺ方向に端子蓋４０１を回転させ、端子蓋４０１を取り外した状態にし、露出した端子４０２にプラグを挿入する。
【０００６】
ところで、電子機器の小型化と多機能化を図る上で生ずる問題の１つは、狭い面積内に各種の機能を持った操作スイッチ４０３（４０３ａ、４０３ｂ）を配置することである。また、各種操作スイッチ４０３は、ユーザーの使い勝手の面も考慮して配列を工夫することが要求される。
【０００７】
例えば、ディジタルビデオディスク（以下ＤＶＤと示す）等の光ディスク媒体を記録媒体に用いたビデオカメラは、そのランダム性を生かし、記録されたデータのうち不必要な部分のカットや、再生する順番の変更などを、ビデオカメラ本体の表示画面を見ながら行うことが出来る。このような表示画面を見ながら複雑な操作を行う電子機器では、操作スイッチ４０３を表示画面と略同一面に配置したほうが、表示画面を見ながらの操作性が向上する。
【０００８】
このような操作スイッチを表示画面と略同一面に配置した電子機器では、操作スイッチが配置されている面を下方に向けて置いた、いわゆる逆さ置き時に、誤動作が生じないように配慮が必要である。例えば特許文献１では、操作スイッチ押圧時にスイッチが電気的にＯＮ状態へと切り替わるポイントが、操作スイッチ周辺の外装より低い位置になるように、外装をドーム状に隆起形成することで、前記操作スイッチの誤動作を防止する電子機器が示されている。
【特許文献１】特開２００２−２０７５５１号公報
【発明の開示】
【発明が解決しようとする課題】
【０００９】
上述のように小型化した電子機器では、操作性を犠牲にすることなく、逆さ置き時の誤動作を防止して、操作スイッチを効率よく配置することが課題となっている。特許文献１のように操作部材周辺の外装を隆起形成する方法では、本体のボリューム感が大きくなり商品価値が低下する上、本体ケースの外郭デザインの自由度が低下し、特徴あるデザインを採用することが難しいという問題がある。更に、操作スイッチの周辺の外装に対する出っ張り量が小さくなるため、操作スイッチ自体の操作性低下に繋がってしまう。
【課題を解決するための手段】
【００１０】
本発明の電子機器は、操作スイッチと、前記操作スイッチが配置された面の同一面側に突起部を設けた蓋部を持ち、前記突起部の頂部と前記操作スイッチが配置された同一面側の他の頂部とによって作られる面が、スイッチ回路が作動する前記操作スイッチの位置より、前記操作スイッチが配置された面に対して離れていることを特徴としている。
【００１１】
また、本発明の他の特徴とするところは、前記突起部は、蓋部を開閉するための指掛かり部であることを特徴としている。
【００１２】
また、本発明のその他の特徴とするところは、前記突起部は弾性部材であることを特徴としている。
【発明の効果】
【００１３】
以上説明したように、本発明によれば、操作スイッチの操作性を損なうことなく、携帯時の逆さ置きに起因する操作スイッチの誤動作を、本体ケースの外装デザインの自由度を妨げることなく、防止することが出来る。
【発明を実施するための最良の形態】
【００１４】
（実施例１）
以下、本発明の実施の形態を図面により説明する。
【００１５】
図１〜図３は、本発明の実施形態に関わる、情報記録メディアとしてＤＶＤを使用した、ビデオカメラの一具体例を示す図である。
【００１６】
図１は本発明の実施形態に関わるビデオカメラの斜視図である。特に図１（ｂ）は後述する撮像光学系１０２を覆う外装の一部を透明にして示している。該ビデオカメラには、主に被写体の映像を電気信号に変換する図示しないＣＣＤと、前記ＣＣＤに光を導く撮像光学系１０２と、図示しないディスクドライブの駆動制御を行う制御回路がある。また、図３にて後述する本体に着脱自在なＤＶＤを回転駆動して、情報信号の記録および再生を行う後述するディスクドライブ装置３０１で構成されている。また、撮影者はディスクドライブ装置３０１を覆うディスク部１０１をグリップして撮影姿勢を取る。
【００１７】
本件では、撮像光学系１０２の光軸と平行な方向（以下光軸方向とする）をビデオカメラの前後方向とし、さらに、撮像光学系の前玉側１０２ａを前方と定義する。また、光軸方向に平行な面をビデオカメラの側面側とし、撮影時にグリップするディスクドライブ装置を覆うディスク部１０１を右側と定義する。
【００１８】
図３はディスクドライブ装置３０１を覆うディスク部１０１（右側）を上にし、後述するディスクカバー３０２を開けた状態の、本発明の実施形態に関わるビデオカメラの斜視図である。ビデオカメラ右側には、図示しないヒンジ部によって、ディスク部筐体に開閉自在に取り付けられた、ディスクカバー３０２が設けられている。また、ディスクカバー３０２の開状態にて露出するディスクドライブ装置３０１には、記録媒体としてＤＶＤ３０３を回転自在に固定する為のチャッキング部３０１ａが設けられ、ＤＶＤ３０３をディスクドライブ装置３０１に対して回動自在に装着出来るようになっている。
【００１９】
図１に示す左側面１１１には、ビューファインダーとして３インチ程度の液晶表示器（ＬＣＤ）１０３が、図示しない回転ヒンジを介して、開閉、回転可能に設置されており、図１のようにＬＣＤ表示画面１０３ａを外部に向けて収納することが可能である。このように、収納時のＬＣＤ１０３とディスクドライブ装置３０１を互いに背中合わせに配置するレイアウトは、ビデオカメラの小型化、特に薄型化を図る上で非常に有効であるため、記録媒体としてＤＶＤを用いたビデオカメラで多く採用されている。さらに、左側面１１１である該ＬＣＤ１０３と同一の面には、操作部材としてメニュースイッチ１０４と十字キー１０５が配置されている。
【００２０】
上述のビデオカメラを用いて、使用者がディスクに記録されたデータのうち、好みのシーンを自由に組み合わせて所望のデータへ編集する場合、まずメニュースイッチ１０４を押圧操作し、ＬＣＤ  １０３ａにメニュー画面を表示させる。そして十字キー１０５により、任意のシーンの選択やカーソルシフト操作を行った後、該十字キーの中心に配置された操作部材１０６を操作し上述の選択を決定する。このようにＬＣＤ１０３の表示を見ながら行う操作が多い電子機器では、十字キー１０５等の操作部材をＬＣＤ１０３と同一の面に配置することで操作性が向上する。
【００２１】
ビデオカメラ側面のＬＣＤ１０３後方のスペースには、ＡＶジャック端子部１０７が設けられ、該端子部１０７を埃や水滴から保護するため端子蓋１０８が本体に対して開閉自在に設けられている。図１（ａ）に示す該端子蓋１０８は閉状態で、端子蓋１０８はビデオカメラ外観の一部を形成している。また、図１（ｂ）は端子蓋１０８を後述するヒンジの軸１０８ａを中心にして約１８０°回転させ、開状態にした状態を示している。
【００２２】
図２は該端子蓋１０８の構成を示す図である。端子蓋１０８は、エラストマー等の弾性部材で形成されており、ビデオカメラ本体と該端子蓋はヒンジの軸１０８ａを中心に回動自在に結合されている。さらに該端子蓋１０８には、閉状態の係止のため、圧入係止ボス１０８ｂが設けられている。該圧入係止ボス１０８ｂを、本体の圧入係止ボスに対応する位置に設けられた圧入孔１０９に圧入することで、端子蓋１０８は閉状態に保持される。また、ビデオカメラに外部機器から繋がるプラグを接続する場合、端子蓋の出っ張り形状１０８ｃに指又は爪を引っ掛け、蓋の開動作を行い、露出したＡＶジャック端子１０７部にプラグを差し込む。本件では、端子蓋の１０８出っ張り形状１０８ｃを指掛かり形状と称する。
【００２３】
このように、端子蓋１０８全体をエラストマー等の弾性部材で形成することにより、軸や、バネ等の追加部材を必要とせず蓋の開閉、係止を１個の部材で行うことが可能となる。そのため、機器の構造の簡素化による小型化や、部品点数削減によるコストダウンを図ることが出来る。
【００２４】
使用者がＤＶＤ３０３の着脱を行う際には、ディスクカバー３０２を開閉し、露出したディスクドライブ装置３０１のチャッキング部３０１ａに、ＤＶＤに設けられた穴部３０３ａを合わせて、ＤＶＤを本体の側面方向であるＢ方向に押し込むことで、ＤＶＤをディスクドライブ部３０１へ固定する。この時、図３に示すように、操作部材が配置された左側側面１１１を下向きにしたポジションで、ＤＶＤ３０３の着脱を行うと、特にチャッキング時にＤＶＤ穴３０３ａの位置とディスクドライブ装置３０１の位置を簡単に合わせることが出来るため、ＤＶＤ３０３着脱の操作性が高い。
【００２５】
しかし、図１のように左側面１１１に操作スイッチを配置したビデオカメラでは、左側面１１１を下向きにしたポジションでＤＶＤ３０３の着脱を行う際に、自重や、ＤＶＤチャッキング時のＢ方向への押し込み、ディスクカバー３０２の開閉動作により、十字キー１０５等の操作スイッチが押されて誤動作が起こる。その誤動作を防止するため、操作部材が配置された左側面１１１に、前述の操作スイッチに割り当てられたスイッチ回路が作動する状態の凸量より、大きな凸量を持つ凸部によって載置面を形成する必要がある。そのため、左側面１１１の外装デザインの自由度が低下し、特徴あるデザインを採用することが難しいという問題がある。ここでの載置面とは、地面や机などの平面に本体を置いた時に、本体と前記地面や机などの平面が当接する面のことである。
【００２６】
本実施例では操作スイッチ近傍に設置された、端子蓋１０８の開時の指掛かり形状１０８ｃを、載置面を形成する突起部と兼用し、前記端子蓋指掛かり形状１０８ｃと第２の突起部１０９ａ、第３の突起部１０９ｂのそれぞれの頂部で、載置面１１２を形成している。これにより左側面１１１を下にして置いたポジションでは、載置面１１２を無限に延長した平面が地面となる。ここで、左側面１１１に配置された十字キー１０５等の操作スイッチが誤動作を起こさないように、前記操作スイッチの電気的な切り替えポイントを、前述の載置面１１２より低く設定することで、スイッチの誤動作発生を防止することが出来る。ここでの頂部とは、地面や机などの平面に本体を置いた時に、載置面１１２を形成する部分で、特に操作スイッチが配置された箇所から最も離れた部分である。また、載置面１１２を形成する第２の突起部も前記端子蓋１０８に形成しても良いし、第２の突起部、第３の突起部ともに前記端子蓋１０８に形成しても良い。さらに、別に備えられた蓋に別の突起部を設けても良い。
【００２７】
図１に示す実施例では、十字キー１０５等の操作スイッチの操作前の状態（ＯＦＦ状態）でも平面１１２より低くなるように設定しているが、一般的に操作スイッチには、操作前の状態から操作ポイントまでの移動の間に、操作スイッチは可動するものの、電気的に切り替わらない状態を持つ（以下、空ストローク）。そのため、前述の載置面１１２を操作スイッチの空ストローク位置に設定することで、端子蓋指掛かり形状１０８ｃの凸量を最小限にすることが出来る。
このように端子蓋１０８の開時の指掛かり形状１０８ｃを載置面１１２を形成する突起部と兼用することにより、操作部材が配置された左側面１１１を下向きにした逆さ置きのポジションにおける、操作スイッチの誤動作を防止する。ビデオカメラ本体の突起部と兼用することで、外観デザインに不自然な凸部を設ける必要が無くなり、誤動作防止のために外郭デザインの自由度を妨げることがない。また、操作部材の操作性を損なわない。
【００２８】
さらに、該端子蓋１０８はヒンジ部１０８ａと圧入ボス部１０８ｂを含めた全体がエラストマー等の弾性部材で形成されているため、逆さ置き時に載置面となる端子蓋の指係部１０８ｃも同様にエラストマー等の弾性部材で一個の部材として形成することが出来る。そのため、逆さ置き時の載置面である端子蓋の指掛かり部１０８ｃが、逆さ置き時における本体の滑り止めの効果を持つ。これにより、部品点数の増加による構造の複雑化やコストの増大無く、携帯時の逆さ置きや記録媒体の着脱動作時に、本体が意図せず移動し、ビデオカメラ外観面にキズが付くことを防止することが出来る。
【００２９】
なお、本発明の機械的構成要素は前述の構成に限定されるものではない。
【図面の簡単な説明】
【００３０】
【図１】本発明の実施形態に関わるビデオカメラの斜視図
【図２】本発明の実施形態に関わる端子蓋の斜視図
【図３】本発明の実施形態に関わるビデオカメラのＤＶＤ３０３の着脱時の斜視図
【図４】従来のビデオカメラの斜視図
【符号の説明】
【００３１】
１０１  ディスク部
１０２  撮像光学系
１０３  ＬＣＤ
１０４  メニュースイッチ
１０５  十字キー
１０７  端子部
１０８  端子蓋
１０８ｃ  端子蓋指掛かり部
１１２  載置面
３０１  ディスクドライブ装置
３０２  ディスクカバー
４０１  端子蓋
【図１】
2007220161.tif 000003
【図２】
2007220161.tif 000004
【図３】
2007220161.tif 000005
【図４】
2007220161.tif 000006